(57)【要約】【課題】  点字を構成する凸点部分は固定であり、可動しない。長時間にわたり点字を触覚した場合、触覚する指の腹が摩滅したり出血したりする恐れがあった。また、凸点部分を樹脂部材等で構成した場合、凸点部分が触覚の繰り返しで摩滅していた。  【解決手段】  点字板２００は、金属板２０３の点字形成位置に有底の孔２０１を穿設し、該孔２０１に球体３０を装填した後、該球体３０が孔２０１から外れないよう孔２０１の周囲数箇所をカシメてなる構成。球体３０とカシメ部２０２との間に隙間を５０μｍ〜１００μｍ程度形成し、指の腹で触覚した際、指との摩擦力で球体３０の転動を可能にした。【選択図】  図１
2005115195.tif 000002
【特許請求の範囲】
【請求項１】
触覚する指との摩擦力で点字を構成する凸点部分が転動することを特徴とする点字表示部材。
【請求項２】
凸点部分を球体とし、前記球体が金属部材、樹脂部材、セラミックス部材の内、いずれか一つからなることを特徴とする請求項１記載の点字表示部材。
【請求項３】
触覚する指との摩擦力で点字を構成する凸点部分が転動することを特徴とする点字板。
【請求項４】
触覚する指との摩擦力で点字を構成する凸点部分が転動する点字表示部材を、触覚面に進退可能に備えたことを特徴とする点字表示装置。
【発明の詳細な説明】
【技術分野】
【０００１】
本発明は視覚障害者用点字表示部材と点字板と点字表示装置に関する。
【背景技術】
【０００２】
点字は六つの凸点または八つの凸点により一文字が表示される。点字文を記載した点字板の一部を図５に示す。この場合の点字板１は金属板２の点字形成位置に穿穴し、該穴３に球体４を圧入固定してなる。(特開２００１−０１３８６７号公報)
点字を表示するピンを用いた点字表示装置は６本または８本のピンを電気的・機械的に突出させる点字表示部を所定の個数だけ並べて1行の文字列として表示し、該表示部の上を指でなぞることで文字を触覚(判読)する行単位の表示形式が提案されている。６本または８本の点字表示ピンをマイクロソレノイド、圧電素子、電磁石、モータとカム等から選んだいずれか一つの手段で選択的に触覚面に進退させる点字表示装置として、例えば特開平０９−１２７８５９号公報が提案されている。
【特許文献１】特開２００１−０１３８６７号公報
【特許文献２】特開平０９−１２７８５９号公報
【発明の開示】
【発明が解決しようとする課題】
【０００３】
従来の点字本、点字板または点字表示装置において、点字を構成する凸点部分は固定であり、可動しない。従って、長時間にわたり点字を触覚した場合、触覚する指の腹が摩滅したり出血したりする恐れがあった。また、点字表示装置の点字表示ピンを樹脂部材等の非金属で構成した場合、ピンの凸点部分が触覚の繰り返しにより摩滅していた。ピンが摩滅すると点字の表示が不鮮明となる。
【０００４】
本発明は、点字表示ピンの凸点部分、点字板の凸点部分等が摩滅するのを防止することを目的とする。また、触覚する指の腹が摩滅したり出血したりするのを防止することを目的とする。さらに、点字表示装置や点字板等のように繰り返し触覚することによって点字が摩滅したり潰れたりするのを防ぎ、触感に優れた濃い点字(鮮明な点字)を長期にわたり維持することを目的とする。
【課題を解決するための手段】
【０００５】
上記課題を解決するために本発明の第１の観点にかかる点字表示部材は、点字を構成する凸点部分が触覚する指との摩擦力で転動する構成とするのが好ましい。転動する凸点部分を球体とし、金属管または樹脂成形管等で保持する構成とするのが好ましい。前記球体を金属部材、樹脂部材、セラミックス部材の内、いずれか一つで構成するのが好ましい。
さらに本発明の第２の観点にかかる点字表示装置は点字を構成する凸点部分が触覚する指との摩擦力で転動する点字表示部材を用いたもので、該点字表示部材を触覚面に進退可能に備えた構成とするのが好ましい。
【発明の効果】
【０００６】
上記構成により本発明の第１及び第２の観点にかかる点字表示部材と点字表示装置は凸点部分の摩滅ならびに触覚する指の腹が摩滅したり出血したりするのを防止する。また、触感に優れた濃い点字を長期にわたり維持できる。
【発明を実施するための最良の形態】
【０００７】
本発明における第１の実施の形態は、点字の凸点部分が触覚する指で転動することを特徴とする点字表示部材としたもので、凸点部分の摩滅ならびに触覚する指の腹が摩滅したり出血したりするのを防止する。また、触感に優れた濃い点字を長期にわたり維持できる。
本発明における第２の実施の形態は、点字の凸点部分が触覚する指で転動するよう構成した点字表示部材を用意し、該点字表示部材を触覚面に進退可能に備えたことを特徴とする点字表示装置としたもので、凸点部分の摩滅ならびに触覚する指の腹が摩滅したり出血したりするのを防止する。また、触感に優れた濃い点字を長期にわたり維持できる。
【実施例１】
【０００８】
以下、本発明の一実施例における点字板を図面と共に説明する。図１は本発明の一実施例における点字板の要部断面図を示す。
図１において符号３０は点字の凸点部分を構成する球体、２００は点字板、２０１は有底の孔、２０２はカシメ部、２０３は金属板を示す。
この場合の点字板２００は、金属板２０３の点字形成位置に球体３０の外形より０．２〜０．５ｍｍ程度大きな内径を備えた有底の孔２０１を穿設し、該孔２０１内に球体３０を装填した後、該球体３０が孔２０１から外れないよう孔２０１の周囲数箇所をカシメてなる。球体３０とカシメ部２０２との間に隙間を５０μｍ〜１００μｍ程度形成し、球体３０を指の腹で触覚した際、摩擦力で球体３０の転動を可能にしている。
【０００９】
前記金属板はメッキ鋼板、ステンレス鋼板、アルミニウム板、黄銅板等から選んだ一つとするのが好ましい。勿論、任意の樹脂板としてもよい。例えばポリカーボネート、ポリエチレン、ポリスチレン、ＰＭＭＡ、ＡＢＳ樹脂等としてよい。樹脂で点字板を構成する場合、射出成型により有底の孔２０１とカシメ部２０２を一体成型し、カシメ部を弾性変形させて球体を圧入するようにしてもよい。球体３０は鋼球等の金属部材、樹脂部材、セラミックス部材等から選んだ一つとするのが好ましい。
球体３０の直径は１．２mm〜２．０mm程度の範囲とした。球体３０の直径に範囲を設けているのは手の大きな人と小さな人、大人と子供、点字触覚速度の速い人と遅い人等に対応するためである。触覚に慣れた人は球体３０の直径が小さくても差し支えない。
【実施例２】
【００１０】
図２は本発明のもう一つの実施例における点字板の要部断面図を示す。図２において符号３０は凸点部分を構成する球体、２１０は点字板、２１１は貫通孔、２１２は逆テーパー孔、２１３は中板、２１４は底板、２１５は上板を示す。
この場合も実施例１と同様、球体３０と逆テーパー孔２１２との間に隙間を５０μｍ〜１００μｍ程度形成し、指の腹で触覚した際、摩擦力で球体３０の転動を可能に構成するのが好ましい。三枚板の構成によりカシメ工程を不要にした例を示す。この場合も球体や点字板の材質等は実施例１の場合と同様としている。
なお、中板２１３と上板２１５とを樹脂部材または紙部材等で一体成型し球体を圧入するようにしてもよい。あるいは、三枚の板２１３、２１４、２１５を厚手の紙部材で構成し一体的に接着するようにしてもよい。
【実施例３】
【００１１】
図３は本発明の一実施例における点字表示部材１０の要部断面図を示す。図３において符号３０は点字表示部材１０の凸点部分を構成する球体、２０は管(パイプ)部材、２１はカシメ部、２２は内方突出部、２３は球体収納部、２４は球体受け座、２５はテーパー部、２６は隙間を示す。
この場合も実施例１と同様、球体３０と球体収納部２３との隙間２６を５０μｍ〜１００μｍ程度形成し、指の腹で触覚した際、指との摩擦力で球体３０の転動を可能にする構成とするのが好ましい。
球体３０を転動可能に保持する管部材２０の材質は鋼管、ステンレス鋼管、アルミニウム管、黄銅管等から選んだいずれか一つとするのが好ましい。勿論、管部材に代え無空棒状、任意形状の段付き軸等としてよい。
【００１２】
本発明の観点にかかる点字表示装置は、図３の点字表示部材１０を点字表示ピンとして触覚面に進退可能に備えた構成とした。例えば、特開平０９−１２７８５９号公報に示される点字表示装置のように、一行に表示する点字を２０マスとした場合、１２０本の点字表示部材１０を配設することになる。点字表示部材１０の進退駆動は周知の任意手段により選択的に実施すればよい(図示せず)。また、ピンを段付き形状に加工すること等は必要に応じ適宜実施すればよい。
【００１３】
図４は本発明の一実施例における回転円盤式点字表示装置の外観斜視図を示す。この場合の点字表示装置８００は回転する円盤４１０上に例えば８文字〜３６文字分の点字ピン６０１を進退可能に配設し、前記点字ピン６０１を選択的に駆動し順次、点字を円盤面に連続表示するようにしたものである。前記点字ピン６０１を、図３に示す点字表示部材１０で構成すればよい。
【００１４】
上記構成により本発明の点字板または点字表示装置は、点字と指との接触摩擦により凸点が転動し、凸点部分の摩滅ならびに触覚する指の腹が摩滅したり出血したりするのを防止する。また、触感に優れた濃い点字を長期にわたり維持できる。
【産業上の利用可能性】
【００１５】
本発明は点字板等の点字表示部材または点字表示装置を構成するだけでなく、携帯電話・ＰＤＡ・ＡＴＭ等の各種電子機器に組み込まれた点字表示部を構成できる。また、二次元の文字・図形表示装置、三次元の立体図形表示装置等を構成する点字表示部材として用いても有効である。
【図面の簡単な説明】
【００１６】
【図１】本発明の一実施例における点字板の要部断面図
【図２】本発明の一実施例における点字板の要部断面図
【図３】本発明の一実施例における点字表示部材の要部断面図
【図４】本発明の一実施例における点字表示装置の要部外観斜視図
【図５】従来の点字板の要部平面図
【符号の説明】
【００１７】
１０  点字表示部材
２０  管(パイプ)部材
２１  カシメ部
２２  内方突出部
２３  球体収納部
２４  球体受け座
２５  テーパー部
２６  隙間
３０  球体
２００、２１０  点字板
２０１  有底の孔
２０２  カシメ部
２０３  金属板
２１１  貫通孔
２１２  逆テーパー孔
２１３  中板
２１４  底板
２１５  上板
４００  点字表示装置
４１０  円盤
６０１  点字ピン
【図１】
2005115195.tif 000003
【図２】
2005115195.tif 000004
【図３】
2005115195.tif 000005
【図４】
2005115195.tif 000006
【図５】
2005115195.tif 000007